(57)【要約】  刷版（２３２）を受容するための版胴ギャップ（１３２）を有するなくらなし版胴（３２）と、ブランケット（２３４）を受容するためのブランケット胴ギャップ（１３４）を有するまくらなしブランケット胴（３４）と、版胴の軸端部に配置された第１の基準リング（７２）と、ブランケット胴の軸端部に配置された第２の基準リング（７４）とが設けられている、ウェブオフセット印刷機が提供される。
2009543720.tif 000002
【特許請求の範囲】
【請求項１】
ウェブを印刷するためのウェブオフセット印刷機において、
刷版を受容するための版胴ギャップを有するまくらなし版胴と、
ブランケットを受容するためのブランケット胴ギャップを有するまくらなしブランケット胴と、
版胴の軸端部に配置された第１の基準リングと、
ブランケット胴の軸端部に配置された第２の基準リングとが設けられていることを特徴とする、ウェブオフセット印刷機。
【請求項２】
スクイーズ圧力を記録するために第１の基準リングと第２の基準リングとの間にゲージが設けられている、請求項１記載のウェブオフセット印刷機。
【請求項３】
ブランケットがゴムである、請求項１記載のウェブオフセット印刷機。
【請求項４】
版胴ギャップが約０．２５インチ以下である、請求項１記載のウェブオフセット印刷機。
【請求項５】
ブランケット胴ギャップが約０．２５インチ以下である、請求項１記載のウェブオフセット印刷機。
【請求項６】
版胴ギャップが、版胴の円周の０．７１４％以下である、請求項１記載のウェブオフセット印刷機。
【請求項７】
ブランケット胴ギャップが、ブランケット胴の円周の０．７１４％以下である、請求項１記載のウェブオフセット印刷機。
【請求項８】
版胴が、ブランケット胴の直径よりも大きな直径を有する、請求項１記載のウェブオフセット印刷機。
【請求項９】
版胴又はブランケット胴の円周が少なくとも３５インチである、請求項１記載のウェブオフセット印刷機。
【請求項１０】
版胴又はブランケット胴の円周が４５．５インチである、請求項９記載のウェブオフセット印刷機。
【請求項１１】
版胴及びブランケット胴を支持するための回動する胴支持体が設けられている、請求項１記載のウェブオフセット印刷機。
【請求項１２】
版胴及びブランケット胴を駆動するためのモータ及び歯車が設けられている、請求項１記載のウェブオフセット印刷機。
【請求項１３】
ウェブを印刷するためのウェブオフセット印刷機において、
刷版を受容するための版胴ギャップを有する版胴と、
ブランケットを受容するためのブランケット胴ギャップを有するブランケット胴とが設けられており、
版胴ギャップ及びブランケット胴ギャップが、それぞれ版胴又はブランケット胴の円周の０．７１４％以下であることを特徴とする、ウェブオフセット印刷機。
【請求項１４】
版胴ギャップの幅が約０．２５インチ以下である、請求項１３記載のウェブオフセット印刷機。
【請求項１５】
ブランケット胴ギャップの幅が約０．２５インチ以下である、請求項１３記載のウェブオフセット印刷機。
【発明の詳細な説明】
【技術分野】
【０００１】
本願は、２００６年７月１９日に出願されかつ引用したことにより本明細書に記載されたこととする米国特許仮出願第６０／８３１８２２号明細書の利益を請求する。
【背景技術】
【０００２】
本発明は、概して印刷機、特に、まくらによって支持されていないブランケット胴及び版胴を有する印刷機に関する。
【０００３】
米国特許第４６４３０９０号明細書は、胴と結合されたまくらが分離されている胴抜き位置と、胴入れ位置若しくは印刷位置との間で印刷胴を移動させるための方法及び装置を含む印刷機を開示している。
【０００４】
Handbook of Print MediaにおいてHelmut Kipphanは、振動を最小限にするために胴まくらが使用されることを開示している。高い圧延強度を備えた焼入鋼から形成された胴まくらは、振動の効果を最小限にするために版胴及びブランケット胴の側部に挿入されている。胴まくらの初期張力は、２８インチ（７１．１２ｃｍ）×４０インチ（１０１．６ｃｍ）印刷フォーマットのための印刷において約１５０００Ｎである。胴まくらの基本仕事は、胴と歯車との間に通常生ぜしめられる回転振動を回避することである。
【０００５】
発明の概要
本発明は、狭いギャップを有する版胴と狭いギャップを有するブランケット胴とを備えた印刷ユニットを有するウェブ印刷機を提供する。狭いギャップにより、まくらが排除されることができる。
【０００６】
本発明は、
刷版を受容するための版胴ギャップを有するまくらなし版胴と、
ブランケットを受容するためのブランケット胴ギャップを有するまくらなしブランケット胴と、
版胴の軸方向端部に配置された第１の基準リングと、
ブランケット胴の軸方向端部に配置された第２の基準リングとが設けられた、ウェブを印刷するためのウェブオフセット印刷機を提供する。
【０００７】
本発明は、
刷版を受容するための版胴ギャップを有する版胴と、
ブランケットを受容するためのブランケット胴ギャップを有するブランケット胴とが設けられており、
版胴ギャップ及びブランケット胴ギャップが、版胴又はブランケット胴それぞれの円周の０．７１４％以下である、ウェブを印刷するためのウェブオフセット印刷機をも提供する。
【０００８】
本発明の好適な実施形態が図面を参照にして説明される。
【図面の簡単な説明】
【０００９】
【図１】本発明による印刷機を示している。
【図２】図１における印刷機の印刷ユニットを示している。
【図３】図２における印刷ユニットの、回動する胴ボックスを示している。
【図４】印刷ユニットのブランケット胴を駆動するモータを示している。
【図５】印刷ユニットのための基準リング及びゲージを示している。
【図６】印刷ユニットの版胴のための刷版を示している。
【図７】印刷ユニットにおける版胴及びブランケット胴の直径を示している。
【００１０】
好適な実施形態の詳細な説明
図１は、本発明によるウェブ印刷機の好適な実施形態を示している。印刷機１０は例えば４つの印刷ユニット２０を有している。各印刷ユニット２０は上部印刷対３０と下部印刷対３１とを有している。上部印刷対は版胴３２とブランケット胴３４とを有しているのに対し、下部印刷対３１はブランケット胴３６と版胴３８とを有している。版胴３２とブランケット胴３４との間にはニップ３３が形成されている。ブランケット胴３４と３６との間にはニップ３５が形成されている。ブランケット胴３６と版胴３８との間にはニップ３７が形成されている。ウェブ１２は、印刷ユニット２０によって印刷され、さらに折り機４０によって被印刷製品１１２へ処理される。
【００１１】
図２は、それぞれの刷版２３２，２３８（図７）を版胴３２，３８の表面に締め付けるための狭いギャップ１３２，１３８を有する版胴３２，３８を示している。また、ブランケット胴３４，３６は、それぞれブランケット２３４，２３６（図７）をブランケット胴３４，３６の表面に締め付けるための狭いギャップ１３４，１３６を有している。狭いギャップは好適には０．２５インチ（６．３５ｍｍ）未満である。インキ装置５０，５２はインキをそれぞれの版胴３２，３８に供給する。胴３２，３４，３６，３８は、図３及び図４に示された回動する胴支持体６２，６４，６６，６８を介してフレーム１４に結合されている。
【００１２】
回動する胴支持体６２，６４，６６，６８は、ウェブ１２が所定の位置にとどまったまま刷版の交換を可能にする。例えば、回動する胴支持体６２，６４，６６，６８は、刷版を交換するために版胴３２をブランケット胴３４から、版胴３８をブランケット胴３６から分離するように回動する。さらに、回動する胴支持体６２，６４，６６，６８は、例えばブランケットを交換するためにブランケット胴３４をブランケット胴３６から分離するように回動することもできる。すなわち、ブランケット胴３４，３６をウェブ１２から"胴抜き"させておく。回動する胴支持体６２，６４，６６，６８は、版胴３２をブランケット胴３４から、ブランケット胴３４をブランケット胴３６から、ブランケット胴３６を版胴３８から分離させるように回転することができる。
【００１３】
狭いギャップ１３２，１３４，１３６，１３８は、振動を最小限にすることができ、胴３２，３４，３６，３８を支持するために通常使用されるまくらの必要性を排除する。まくらの必要性を排除することによって、版胴及びブランケット胴３２，３８，３４，３６は、選択的な刷版対ブランケットニップトルクと、ゆがみなし最終印刷長さとを達成するように寸法決めされることができる。
【００１４】
モータ８０は、歯車を介してブランケット胴３４及びその他の胴３２，３６，３８を駆動する。各胴３２，３４，３６，３８はそれぞれ歯車８２，８４，８６，８８を有している。複数のモータを有するその他の変化態様が使用されることができ、例えばブランケット胴３４，３６が独立して駆動されるか、択一的に、例えば、各胴３２，３４，３６，３８が独立して駆動されることができる。
【００１５】
図５は、版胴３２及びブランケット胴３４のための基準リング７２，７４を示している。ニップ３３において基準リング７２，７４の間にゲージ９０が配置されている。各胴３２，３４，３６，３８は基準リング７２，７４，７６，７８を有しており、各ニップ３３，３５，３７（図１）はゲージ９０を有している。基準リング７２，７４は互いの間に空間を有している。ゲージ９０は基準リング７２，７４の間に挿入されることができる。好適には、基準リング７２，７４とゲージ９０との間の荷重は最小限であり、例えば好適には１００Ｎ未満である。ゲージ９０は、独立した版胴対ブランケット及びブランケット対ブランケットスクイーズ調節を行うために使用されることができる。基準リング７２，７４，７６，７８及びゲージ９０は例えば鋼から形成されることができる。
【００１６】
好適には、印刷ユニット２０（図２）は、円周が好適には少なくとも３５インチ（８８．９ｃｍ）、例えば４５．５インチ（１１５．５７ｃｍ）の版胴及びブランケット胴３２，３４，３６，３８（図２）のうちの少なくとも１つを備えたいわゆる４×４商用印刷ユニットである。刷版及びブランケット締付け機構によって保持された刷版及びブランケット縁部のための狭いギャップ１３２，１３４，１３６，１３８（図２）を備えたこの二重円周構成は、振動を最小限にするのを助けることができ、まくらの排除を可能にすることができる。ギャップ１３２，１３４，１３６，１３８（図２及び図７）の寸法はそれぞれ、好適には胴３２，３４，３６，３８の円周の０．７１４％以下である。胴３２，３４，３６，３８の円周は、測定されるか、又は胴３２，３４，３６，３８（図７）の直径から計算されることができる。
【００１７】
図６は、ページＰ1，Ｐ2，Ｐ3，Ｐ4等を備えた平坦な取り付けられていない刷版２３２を示している。刷版３２は、幅Ｗ、例えば４０インチ（１０１．６ｃｍ）、及び長さＬ、例えば４５．５インチ（１１５．５７ｃｍ）を有している。各ページは、幅ｗ、例えば公称で１０インチ（２５．４ｃｍ）幅（４０／１０）、及び長さｌ、例えば公称で１１．３７５インチ（２８．８９２５ｃｍ）長さ（４５．５／４）を有している。好適な印刷ユニットは一般的に、横方向４ページ、周方向４ページ、縦目フォーマット、ergo ４×４と呼ばれる。版胴及びブランケット胴は周方向で例えば公称で４５．５インチ（１１５．５７ｃｍ）である。
【００１８】
まくらがないことにより、版胴及びブランケット胴３２，３４，３６，３８（図７）は、最適な刷版対ブランケットニップトルクと、ゆがみなし最終印刷長さとを達成するように戦略的に寸法決めされることができる。刷版２３２，２３８及びブランケット２３４，２３６が取り付けられた版胴及びブランケット胴３２，３４，３６，３８の直径ｄ32，ｄ34，ｄ36，ｄ38は好適には、版胴の直径ｄ32，ｄ38がブランケット胴直径ｄ34，ｄ36よりも大きい、例えばｄ32＞ｄ34であるようになっており、直径の正確な比は、特別な計算と、ニップトルク及びゆがみなし最終印刷長さを最適化するために、幅、使用されるブランケット材料等の様々な量に基づく実験的な検証とによって、決定されることができる。
【００１９】
前記説明において、発明は、発明の特定の典型的な実施形態及び実施例に関して説明された。しかしながら、請求項に示された発明のより広い精神及び範囲から逸脱することなくそれらに様々な変更が加えられることができることは明らかである。したがって、明細書及び図面は制限的な意味ではなく例示的な形式で見なされるべきである。
【符号の説明】
【００２０】
１０  印刷機、  ２０  印刷ユニット、  ３０  上部印刷対、  ３１  下部印刷対、  ３２，３８  版胴、  ３４，３６  ブランケット胴、  ３５，３７  ニップ、  １３２，１３４，１３６，１３８  狭いギャップ、  ２３４，２３６  ブランケット、  ６２，６４，６６，６８  胴支持体、  ７２，７４，７６，７８  基準リング、  ８２，８４，８６，８８  歯車、  ９０  ゲージ
【図１】
2009543720.tif 000003
【図２】
2009543720.tif 000004
【図３】
2009543720.tif 000005
【図４】
2009543720.tif 000006
【図５】
2009543720.tif 000007
【図６】
2009543720.tif 000008
【図７】
2009543720.tif 000009
【国際調査報告】
2009543720.tif 000010